(57)【要約】【課題】相対向する平行な両辺の近傍の厚さを薄くすることができる光学部材、光源装置および表示装置を提供すること。【解決手段】外部の光を入射する入射面１１と、入射面１１から入射した光を外部に出射する出射面１２とを備え、前記入射面１１から入射して外部との境界で反射することなく出射面１２に到達した光は、出射面１２への入射角が全反射角よりも大きくなるように形成されてなる。【選択図】図２
2009128730.tif 000002
【特許請求の範囲】
【請求項１】
外部の光を入射する入射面と、入射面から入射した光を外部に出射する出射面とを備え、前記入射面から入射して外部との境界で反射することなく出射面に到達した光は、出射面への入射角が全反射角よりも大きくなるように形成されてなることを特徴とする光学部材。
【請求項２】
前記出射面の反対側の面に凸状の入射部が形成され、前記入射面は前記入射部に形成されることを特徴とする請求項１に記載の光学部材。
【請求項３】
所定の辺方向の両端の厚さが前記所定の辺方向の略中心の厚さに比較して厚く、前記所定の辺方向中心から前記所定の辺の両端に向かうにしたがって漸次厚さが薄くなることを特徴とする請求項１または請求項２に記載の光学部材。
【請求項４】
前記出射面の反対側の面の前記所定の辺方向の両端は、前記出射面の反対側の反対側の面の前記所定の辺方向の中心近傍に比較して、光を乱反射しやすい表面性状を有することを特徴とする請求項１から請求項３のいずれかに記載の光学部材。
【請求項５】
外部の光を内部に導入するための入射面が形成される入射部と、入射部から入射した光が外部に出射する出射面とを備え、前記入射部は前記出射面の反対側の面から所定の角度をもって凸状に突出するとともに、前記入射部の前記所定の角度は、入射面から入射し外部との境界において反射することなく前記出射面に到達した光の前記出射面への入射角度が、前記出射面における全反射角よりも大きくなる角度であることを特徴とする光学部材。
【請求項６】
所定の辺方向の両端の厚さが前記所定の辺方向の略中心の厚さに比較して厚く、前記所定の辺方向中心から前記所定の辺の両端に向かうにしたがって漸次厚さが薄くなることを特徴とする請求項５に記載の光学部材。
【請求項７】
前記出射面の反対側の面の前記所定の辺方向の両端は、前記出射面の反対側の反対側の面の前記所定の辺方向の中心近傍に比較して、光を乱反射しやすい表面性状を有することを特徴とする請求項５または請求項６に記載の光学部材。
【請求項８】
請求項１から請求項７のいずれかに記載の光学部材と、光源と、を備え、該光源が前記光学部材の入射面に対向して配設されることを特徴とする光源装置。
【請求項９】
請求項８に記載の光源装置と、画像を表示する透過型または半透過型の表示パネルとを備え、前記表示パネルは前記光源装置の前記光学部材の前記出射面に対向して配設されることを特徴とする請求項８に記載の表示装置。
【発明の詳細な説明】
【技術分野】
【０００１】
本発明は、光学部材、光源装置および表示装置に関するものであり、詳しくは、光源が発する光の特性を調整する光学部材と、この光学部材を備える光源装置および表示装置に関するものである。
【背景技術】
【０００２】
透過型または半透過型の液晶表示パネルのような非自発光型の表示パネルを備える表示装置は、一般的に、表示パネルの背面側や側面に光源が配設される構成、または光源が組み込まれた光源装置（バックライト装置、バックライトユニットなどと称することがある）が配設される構成を備える。そして、光源が発する光を表示パネルの背面側に照射して、その光を前面側に透過させることにより、表示パネルの前面側に画像を可視状態に表示できる。
【０００３】
図１０は、直下型の光源装置を備える液晶表示装置９の構成の従来例を、模式的に示した分解斜視図である。図１０に示すこの表示装置９は、光源９１と、光源９１が発する光の特性を調整する光学部材（光学シート類と称することがある）９２とを備える。また、この表示装置９は、表示パネル９３を備える。そして、光源９１と表示パネル９３との間に光学部材９２が配設される構成を備える。このため、光源９１が発する光は、光学部材（光学シート類）９２によって特性が調整され、当該特性が調整された光が、表示パネル９３の背面側に照射される。
【０００４】
このような構成の光源装置を備える表示装置９において、高品位の画像表示を実現するには、光源装置が発する光の面方向の強さを均一にすることが好ましい。そこで、従来一般の直下型の光源装置においては、光源９１が均等な間隔で配設されるとともに、光源９１の前面側（すなわち光源９１と表示パネル９３との間）に、光源９１が発する光を拡散する機能を有する光学部材（光学シート類）９２が配設される。このような構成によって、表示パネル９３の背面側に照射される光の面方向の強さの均一化を図っている。
【０００５】
また、図１０に示すように、一般的な表示装置９は、画像を表示する表示パネル９３の前面側に、ベゼル９４が配設される。このベゼル９４は額縁状の部材であり、表示パネル９３の周囲を支持する機能を有するとともに、表示パネル９３を保護する機能を有する。
【０００６】
ところで、表示装置９の使用態様として、二台以上の表示装置を並べて配設し、二台以上の表示装置９によって、一枚の画像を表示する場合がある。しかしながら、このような使用態様では、各表示装置９のベゼル９４によって、画像が途切れて見える。すなわち、二台以上の表示装置９を並べて一枚の画像を表示する場合には、各表示装置９のベゼル９４によって、表示される画像が不連続となる。
【０００７】
このように、二台以上の表示装置を並べて使用する場合において、できる限り画像が不連続にならないように表示したいという要望がある。このような要望を充足するための構成としては、たとえば隣り合う表示装置の間に、ベゼルの細い別の表示装置を配設するという構成が考えられる。この別の表示装置によって、隣り合う二台の表示装置のベゼルを隠すとともに、画像を表示することによって、一枚の画像を複数の表示装置により略連続的に表示するというものである。
【０００８】
このような別の表示装置を使用する場合、この別の表示装置のベゼルを細くするとともに、二台の表示装置に近接する辺の厚さを薄くする必要がある。すなわち、この別の表示装置の厚さが厚いと、この別の表示装置の画面が隣り合う二台の表示装置の画面から大きく前面側に突出することになる。したがって、結果として一枚の画像として連続的に見えなくなるおそれがある。このように、少なくとも相対向する二辺（すなわち、二台の表示装置のそれぞれに近接する辺）の厚さが薄い光源装置および表示装置が必要となる。
【０００９】
前記のとおり、従来一般の直下型の光源装置は、光の面方向の強さを均一にするため、光源が略均等に配設されている。したがって、相対向する両辺の厚さを薄くすることと、光の面方向の強さを均一にすることとの両立は困難である。また、サイドライト（エッジライトとも称する）タイプの光源装置は、光源が配設されない辺の厚さを薄くすることは可能であるが、光源が配設される側の辺の厚さを薄くすることは困難である。
【００１０】
【特許文献１】特開平５−２７２３８号公報
【特許文献２】特開平５−９３９１１号公報
【特許文献３】特開平８−２０１６３３号公報
【特許文献４】特開平８−２７１８８６号公報
【発明の開示】
【発明が解決しようとする課題】
【００１１】
上記実情に鑑み、本発明が解決しようとする課題は、相対向する平行な両辺の近傍の厚さを薄くすることができる光学部材、光源装置および表示装置を提供すること、または、相対向する平行な両辺の近傍の厚さを薄くしつつ、均一な輝度の画像を表示することができる光学部材、光源装置および表示装置を提供することである。
【課題を解決するための手段】
【００１２】
前記課題を解決するため、本発明は、外部の光を入射する入射面と、入射面から入射した光を外部に出射する出射面とを備え、前記入射面から入射して外部との境界で反射することなく出射面に到達した光は、出射面への入射角が全反射角よりも大きくなるように形成されてなること要旨とするものである。なお、全反射角とは、ある面に光が入射するとき、入射した光が当該ある面において全反射を起こす入射角の最小値をいうものとする。
【００１３】
ここで、前記出射面の反対側の面に凸状の入射部が形成され、前記入射面は前記入射部に形成される構成であることが好ましい。
【００１４】
所定の辺方向の両端の厚さが前記所定の辺方向の略中心の厚さに比較して厚く、前記所定の辺方向中心から前記所定の辺の両端に向かうにしたがって漸次厚さが薄くなることが好ましい。
【００１５】
前記出射面の反対側の面の前記所定の辺方向の両端は、前記出射面の反対側の反対側の面の前記所定の辺方向の中心近傍に比較して、光を乱反射しやすい表面性状を有することが好ましい。
【００１６】
換言すると本発明は、外部の光を内部に導入するための入射面が形成される入射部と、入射部から入射した光が外部に出射する出射面とを備え、前記入射部は前記出射面の反対側の面から所定の角度をもって凸状に突出するとともに、前記入射部の前記所定の角度は、入射面から入射し外部との境界において反射することなく前記出射面に到達した光の前記出射面への入射角度が、前記出射面における全反射角よりも大きくなる角度であることを要旨とするものである。
【００１７】
ここで、所定の辺方向の両端の厚さが前記所定の辺方向の略中心の厚さに比較して厚く、前記所定の辺方向中心から前記所定の辺の両端に向かうにしたがって漸次厚さが薄くなることが好ましい。
【００１８】
前記出射面の反対側の面の前記所定の辺方向の両端は、前記出射面の反対側の反対側の面の前記所定の辺方向の中心近傍に比較して、光を乱反射しやすい表面性状を有することが好ましい。
【００１９】
本発明に係る光源装置は、前記いずれかの光学部材と、光源と、を備え、該光源が前記光学部材の入射面に対向して配設されることを要旨とするものである。
【００２０】
本発明は、前記光源装置と、画像を表示する透過型または半透過型の表示パネルとを備え、前記表示パネルは前記光源装置の前記光学部材の前記出射面に対向して配設されることを要旨とするものである。
【発明の効果】
【００２１】
本発明によれば、入射面から入射した光のうち、直接的に（すなわち、外部との境界で反射することなく）出射面に到達した光は、当該出射面に対する入射角が全反射角よりも大きくなる。したがって、このような光はすべて出射面において反射し、出射面から外部に出射することがない。したがって、光源から直接的に届く光は出射されないから、出射面から外部に出射する光の面方向の強さの均一化を図ることができる。
【００２２】
そして、入射部がたとえば短辺方向の略中心に形成されることにより、短辺方向の両端近傍（すなわち相対向する両長辺）における光学部材の厚さを薄くすることができる。
【００２３】
また、所定の辺方向の両端の厚さが前記所定の辺方向の略中心の厚さに比較して厚く、前記所定の辺方向中心から前記所定の辺の両端に向かうにしたがって漸次厚さが薄くなる構成であれば、相対向する両辺の厚さを薄くすることができる。
【００２４】
前記出射面の反対側の面の前記所定の辺方向の両端は、前記出射面の反対側の反対側の面の前記所定の辺方向の中心近傍に比較して、光を乱反射しやすい表面性状を有すると、出射面から外部に出射する光の面方向の強さの均一化を図ることができる。
【００２５】
本発明にかかる光源装置または表示装置によれば、光の面方向の強さの均一化を図ることができる。したがって、表示品位の向上を図ることができる。さらに、相対向する両辺の厚さを薄くすることができる。
【発明を実施するための最良の形態】
【００２６】
以下に、本発明の各種実施形態について、図面を参照して詳細に説明する。
【００２７】
図１は、本発明の第一実施形態にかかる光学部材１ａの構成を、模式的に示した外観斜視図であり、それぞれ図１（ａ）は、表示パネルに対向する側から見た図、図１（ｂ）は（ａ）の反対側から（すなわち、光源が配設される側から）見た図である。
【００２８】
本発明の第一実施形態にかかる光学部材１ａは、透明または略透明な材料により、一体的に形成される。たとえば、透明なアクリル樹脂などにより一体に形成される。本発明の第一実施形態にかかる光学部材１ａは、複数（本実施形態においては２本）の線状の光源を備える光源装置およびこのような光源装置が組み込まれる表示装置に適用できる構成を有する。線状の光源としては、たとえば、冷陰極管や熱陰極管などの蛍光管が好適に適用できる。
【００２９】
図１（ａ）に示すように、表示パネルに対向する側の面は、略平面に形成される。この面を「出射面１２」と称する。
【００３０】
図１（ｂ）に示すように、出射面１２の反対側の面には、凸状に突起する入射部１３が形成される。この凸状の入射部１３は、出射面１２に対して所定の角度だけ傾斜して突出する構成を有する。具体的な角度については後述する。そしてこの入射部１３には、本発明の第一実施形態にかかる光学部材１ａの外部に配設される線状の光源が発する光を、その内部に導入するための入射面１１が形成される。具体的には、凸状に突出する入射部１３の端面が入射面１１となる。
【００３１】
また、図１（ｂ）に示すように、本発明の第一実施形態にかかる光学部材１ａは、入射部１３が形成される部分を除き、厚さが略均一の平板状に形成される。そして、短辺方向の略中心に、長辺方向に沿って延びる凸状の二本の入射部１３が形成される。換言すると、本発明の第一実施形態にかかる光学部材１ａは、長辺方向に直角な面の断面形状が、略「Ｋ」字状の形状を有する。
【００３２】
入射部１３の具体的な寸法および形状は、次の条件を充足するように設定される。図２は、本発明の第一実施形態にかかる光学部材１ａの断面形状、および本発明の第一実施形態にかかる光学部材１ａの内部における光の経路を模式的に示した断面図である。この断面図は、本発明の第一実施形態にかかる光学部材１ａの長辺に直角な面で切断した断面図である。
【００３３】
線状の光源２から発せられる光は、入射部１３の入射面１１から、本発明の第一実施形態にかかる光学部材１ａの内部に入射する。内部に入射した光の一部は、図中の矢印ａで示すように、本発明の第一実施形態にかかる光学部材１ａと外気との境界面で反射することなく、直接的に出射面１２に到達する。ここで、図２に示すように、このような入射面１１から直接的に出射面１２に到達する光の出射面１２に対する入射角θは、本発明の第一実施形態にかかる光学部材１ａの全反射角（臨界角）よりも大きい値になるように設定される。
【００３４】
ここでいう全反射角（臨界角）とは、ある面に光が入射するとき、当該ある面において光が全反射を起こす入射角の最小値をいうものとする。この全反射角は、本発明の第一実施形態にかかる光学部材１ａの材料（と外気との屈折率）によって相違する。したがって、本発明の第一実施形態にかかる光学部材１ａの材料に応じて入射部１３の形状を設定すればよい。
【００３５】
たとえば、本発明の第一実施形態にかかる光学部材１ａがアクリル樹脂から形成される場合には、入射面１１から入射し外部との境界において反射することなく出射面１２に到達する光の当該出射面１２に対する入射角を、４２°以上となるように設定すればよい。
【００３６】
このように設定されると、本発明の第一実施形態にかかる光学部材１ａの入射面１１から内部に入射した光の一部は、直接に（すなわち、本発明の第一実施形態にかかる光学部材１ａと外気との境界に反射することなく）出射面１２に到達する。前記のとおり、このような光の出射面１２への入射角は、本発明の第一実施形態にかかる光学部材１ａの全反射角よりも大きいため、このような光は出射面１２においてすべて反射する。すなわち、入射面１１から出射面１２に直接に到達した光（いずれかの箇所で反射することなく出射面に到達した光）は、出射面１２においてすべて反射するから、このような光が出射面１２から外部に出射することはない。
【００３７】
そして、出射面１２において反射した光は、本発明の第一実施形態にかかる光学部材１ａと外気との境界のいずれかの箇所において反射し、最終的には、出射面１２から外部に出射する。このような光以外の光も、本発明の第一実施形態にかかる光学部材１ａと外気との境界のいずれかの箇所で反射しつつ、最終的に出射面１２から外部に出射する。
【００３８】
このように、出射面１２から外部に出射する光は、すべて、いずれかの箇所で反射した光であり、いずれかの箇所で反射をせずに出射面１２から外部に出射する光はない。したがって、出射面１２側から見た場合、線状の光源２が直接的に見えることはない。このため、いわゆるランプイメージが現れないようにすることができ、出射面１２から出射される光が局所的に強くなるような部位をなくすことができる。
【００３９】
また、出射面１２の反対側の面の長辺近傍は、光を乱反射するように形成される。具体的には、短辺方向の中心から両端（両長辺）に向かうにしたがって、表面粗さが徐々に粗くなるように形成される。このように形成されると、中心から長辺に向かうにしたがって、光の乱反射の度合が徐々に高くなる。
【００４０】
このような構成によれば、出射面１２から出射される光の強さの不均一を解消することができる。すなわち、仮に当該面の表面性状が均一であると、短辺方向の中心近傍は、光源２からの距離が近いため、出射面１２から出射される光が強く、両長辺に向かうにしたがって、光源２からの距離が遠くなるため、出射面１２から出射される光が弱くなる。
【００４１】
そこで、出射面１２の反対側の面の表面が、短辺方向の中心から両端（両長辺）に向かうにしたがって、粗くなっていくように形成されると、短辺方向の中心近傍の光は、乱反射をせずに（乱反射の度合いが低く）両端に送られる。そして両端近傍においては、光が乱反射し、出射面１２から出射する。
【００４２】
このように、出射面１２の反対側の面について、光源２に近い部分（すなわち短辺方向中心近傍）の表面性状は光を乱反射しにくい性状に形成され、光源から離れるにしたがって（すなわち長辺に向かうにしたがって）、乱反射しやすい性状に形成される。このような構成によれば、出射面１２から出射される光の強さが、短辺方向の中心近傍と長辺近傍とで差が小さくなる。このため、出射面１２の全面にわたって均一な光を出射することができる。
【００４３】
次に、本発明の第二実施形態にかかる光学部材１ｂについて説明する。図３は、本発明の第二実施形態にかかる光学部材１ｂの構成を、模式的に示した外観斜視図であり、それぞれ図３（ａ）は、表示パネルに対向する側から見た図、図３（ｂ）は、（ａ）の反対側から（すなわち、光源が配設される側から）見た図である。なお、前記第一実施形態にかかる光学部材１ａと共通の構成については、同じ符号を付して示し、説明は省略することがある。
【００４４】
本発明の第二実施形態にかかる光学部材１ｂも、透明または略透明な材料により、一体的に形成される。たとえば、透明なアクリル樹脂などにより一体に形成される。本発明の第二実施形態にかかる光学部材１ｂは、複数（本実施形態においては２本）の線状の光源を備える光源装置およびこのような光源装置が組み込まれる表示装置に適用できる構成を有する。
【００４５】
図３（ａ）に示すように、表示パネルに対向する側の面は、略平面に形成される。この面を「出射面１２」と称する。
【００４６】
図３（ｂ）に示すように、出射面１２の反対側の面には、凸状に突起する入射部１３が形成される。この凸状の入射部１３は、出射面１２に対して所定の角度だけ傾斜して突出する構成を有する。具体的な角度については後述する。そしてこの入射部１３には、本発明の第二実施形態にかかる光学部材１ｂの外部に配設される線状の光源２が発する光を、その内部に導入するための入射面１１が形成される。具体的には、凸状に突出する入射部１３の端面が入射面となる。
【００４７】
また、図３（ｂ）に示すように、本発明の第二実施形態にかかる光学部材１ｂは、所定の辺方向の中心が厚く（本発明の第二実施形態においては短辺方向の略中心が厚く）形成される。そして、他の所定の辺に向かうにしたがって（本発明の第二実施形態においては両長辺に向かうにしたがって）、徐々に厚さが薄くなるように形成される。
【００４８】
換言すると、本発明の第二実施形態にかかる光学部材１ｂは、高さの低い略鈍角二等辺三角形の断面形状を有し、当該鈍角の近傍に、凸状の入射部１３が形成される構成を有する。
【００４９】
入射部１３の具体的な寸法および形状は、次の条件を充足するように設定される。図４は、本発明の第二実施形態にかかる光学部材１ｂの断面形状、および本発明の第二実施形態にかかる光学部材１ｂの内部における光の経路を模式的に示した断面図である。この断面図は、本発明の第二実施形態にかかる光学部材１ｂの長辺に直角な面で切断した断面図である。
【００５０】
線状の光源２から発せられる光は、入射部１３の入射面１１から、本発明の第二実施形態にかかる光学部材１ｂの内部に入射する。内部に入射した光の一部は、図中の矢印ａで示すように、本発明の第二実施形態にかかる光学部材１ｂと外気との境界面で反射することなく、直接的に出射面１２に到達する。ここで、図４に示すように、このような入射面１１から直接的に出射面１２に到達する光の出射面１２に対する入射角θは、本発明の第二実施形態にかかる光学部材１ｂの全反射角（臨界角）よりも大きい値になるように設定される。なお、全反射角（臨界角）の定義は、前記第一実施形態にかかる光学部材１ａと同じである。
【００５１】
このように設定されると、本発明の第二実施形態にかかる光学部材１ｂの入射面１１から内部に入射した光の一部は、直接に（すなわち、本発明の第二実施形態にかかる光学部材１ｂと外気との境界に反射することなく）出射面１２に到達する。前記のとおり、このような光の出射面１２への入射角は、本発明の第二実施形態にかかる光学部材１ｂの全反射角よりも大きいため、このような光は出射面１２においてすべて反射する。すなわち、入射面１１から出射面１２に直接に到達した光（いずれかの箇所で反射することなく出射面に到達した光）は、出射面１２においてすべて反射するから、このような光が出射面１２から外部に出射することはない。
【００５２】
そして、出射面１２において反射した光は、本発明の第二実施形態にかかる光学部材１ｂと外気との境界のいずれかの箇所において反射し、最終的には、出射面１２から外部に出射する。このような光以外の光も、本発明の第二実施形態にかかる光学部材１ｂと外気との境界のいずれかの箇所で反射しつつ、最終的に出射面１２から外部に出射する。
【００５３】
このように、第二実施形態にかかる光学部材１ｂによれば、第一実施形態にかかる光学部材１ａと同様の効果を奏することができる。
【００５４】
また、出射面１２の反対側の面の長辺近傍は、光を乱反射するように形成される。具体的には、短辺方向の中心から両端（両長辺）に向かうにしたがって、表面粗さが徐々に粗くなるように形成される。このように形成されると、中心から長辺に向かうにしたがって、光の乱反射の度合が徐々に高くなる。
【００５５】
このような構成によれば、出射面１２から出射される光の強さの不均一を解消することができる。すなわち、仮に当該面の表面性状が均一であると、短辺方向の中心近傍は、光源２からの距離が近いため、出射面１２から出射される光が強く、両長辺に向かうにしたがって、光源２からの距離が遠くなるため、出射面１２から出射される光が弱くなる。
【００５６】
そこで、出射面１２の反対側の面の表面が、短辺方向の中心から両端（両長辺）に向かうにしたがって、粗くなっていくように形成されると、短辺方向の中心近傍の光は、乱反射をせずに（乱反射の度合いが低く）両端に送られる。そして両端近傍においては、光が乱反射し、出射面１２から出射する。
【００５７】
このように、出射面１２の反対側の面について、光源２に近い部分（すなわち短辺方向中心近傍）の表面性状は光を乱反射しにくい性状に形成され、光源から離れるにしたがって（すなわち長辺に向かうにしたがって）、乱反射しやすい性状に形成される。このような構成によれば、出射面１２から出射される光の強さが、短辺方向の中心近傍と長辺近傍とで差が小さくなる。このため、出射面１２の全面にわたって均一な光を出射することができる。
【００５８】
また、入射部１３に近い部分の厚さは、両長辺近傍に比較して厚く形成されてなる。このため、入射部１３の入射面１１から内部に入射した光は、両長辺近傍に送られやすくなる。すなわち、両長辺近傍に比較して厚さの厚い部分は、光の通る（送る）量を多くすることができるから、両長辺近傍に光が送られやすくなる。このため、両長辺近傍とそれ以外の部分とにおいて、出射面１２から出射される光の強度ムラを抑制することができる。
【００５９】
なお、本発明の第一実施形態にかかる光学部材１ａおよび第二実施形態にかかる光学部材１ｂの形状は、前記形状に限定されるものではない。図５は、光学部材の変形例を示した外観斜視図であり、（ａ）は、第一実施形態にかかる光学部材１ａの変形例を示した外観斜視図、（ｂ）は、第二実施形態にかかる光学部材１ｂの変形例を示した外観斜視図である。
【００６０】
図５（ａ），（ｂ）に示すように、入射部１３の出射面に対向する面が、略平面であっても良い。このような構成であっても、前記と同様の作用効果を奏することができる。さらに図５に示すような構成とすると、光学部材１ａ，１ｂの形状が単純な形状となるから、成形が容易となる、このため、光学部材１ａ，１ｂの低価格化などを図ることができる。
【００６１】
次に、本発明のいずれかの実施形態にかかる光学部材１ａ，１ｂを備える光源装置３について説明する。
【００６２】
図６は、本発明の第二実施形態にかかる光学部材１ｂを備える光源装置３の構成を、模式的に示した分解斜視図である。なお、説明の便宜上、図６の上方を光源装置３の前面側と称し、下方を背面側と称する。また、第一実施形態にかかる光学部材１ａを備える光源装置、および各実施形態の変形例にかかる光学部材１ａ，１ｂを備える光源装置も、光学部材を除いては、同じ部材および構成が適用できる。このため説明は省略する。
【００６３】
図６に示すように、本発明の第二実施形態にかかる光学部材１ｂを備える光源装置３は、シャーシ３１と、反射シート３２と、線状の光源２と、サイドホルダ３３と、本発明の第二実施形態にかかる光学部材１ｂと、光学シート類３４と、フレーム３５と、光源駆動回路基板３６と、光源駆動回路基板カバー３７とを備える。
【００６４】
これらの反射シート３２、線状の光源２、光学シート類３４、光源駆動回路基板３６、光源駆動回路基板カバー３７は、従来公知の一般的な構成のものが適用できる。したがって、これらについては簡単に説明し、詳細な説明は省略する。
【００６５】
シャーシ３１は、略平板状の部材であり、たとえば金属の板材などによりプレス加工などを用いて形成される。図６に示すように、短辺方向の中心部近傍の底が深く、長辺近傍は底が浅く形成される。すなわち、本発明の第二実施形態にかかる光学部材１ｂの入射面１１側を覆うことができるような形状に形成される。
【００６６】
線状の光源２は、たとえば冷陰極管や熱陰極管などの蛍光管、キセノン管などの放電管などといった、公知の各種線状の光源が適用できる。ここでは、線状の冷陰極管が適用される構成を示す。
【００６７】
反射シート３２は、線状の光源２が発する光を反射する表面性状を有するシート状の部材または板状の部材である。この反射シート３２の材質としては、たとえば発泡ＰＥＴ（ポリエチレンテレフタレート）などが適用される。この反射シート３２は、本発明の第二実施形態にかかる光学部材１ｂの背面側の形状に倣った形状に形成される。ただし、入射面１１と光源２との間には配設されない。
【００６８】
サイドホルダ３３は、後述する光学シート類３４を配設するためのスペーサなどとして機能する部材である。これらのサイドホルダ３３は略棒状の部材であり、たとえば樹脂材料によって、一体に形成される構成を有する。図６に示すようにこのサイドホルダ３３は、中心近傍の厚さが厚く、両端に向かうにしたがって薄くなるような形状に形成される。
【００６９】
光学シート類３４は、本発明の第二実施形態にかかる光学部材１ｂの出射面１２から出射される光の特性を調整するシート状の部材、板状の部材、またはこのような部材の集合をいうものとする。光学シート類３４としては、たとえば一般的には、光を拡散する機能を有する拡散板および拡散シート、集光機能を有するレンズシート、所定の振動方向の光を透過させそれ以外の振動方向の光を反射する偏光反射シートなどがある。そして、光源装置の種類などに応じて、適宜選択されて所定の順序で積み重ねられるようにして配設される。
【００７０】
本発明の第二実施形態にかかる光学部材１ｂを備える光源装置３は、光学シート類３４として、拡散板と、拡散シートと、レンズシートと、偏光反射シートとを備える。そして光学シート類が、背面側から順に、拡散板、拡散シート、偏光反射シート、レンズシート、拡散シートの順に配設される。
【００７１】
フレーム３５は、光学シート類３４や後述する表示パネル（図示せず）などを、保持および／または保護する機能などを有する部材である。このフレーム３５は、開口した略四辺形の形状を有する。そしてたとえば、樹脂材料などにより一体に形成される構成、樹脂材料などにより形成される複数の部品が組み合わされる構成、金属の板材からプレス加工などにより一体に形成される構成、金属の板材からプレス加工などを用いて形成される複数の部品が組み合わされる構成、などが適用できる。
【００７２】
図６に示すように、このフレーム３５の短辺は、中心近傍が厚さが厚く、両端（両長辺）に向かうにしたがって厚さが厚くなるような形状に形成される。
【００７３】
光源駆動回路基板３６は、線状の光源２を駆動する電子回路や電気回路が構築される回路基板である。線状の光源２としてたとえば蛍光管が適用される場合には、光源駆動回路基板３６には、蛍光管を駆動するためのインバータ回路などが構築される。光源駆動回路基板カバー３７は、光源駆動回路基板３６を覆う板状の部材であり、たとえば、金属の板材といった導体により形成される。これにより、光源駆動回路基板３６が保護されるとともに、光源駆動回路基板３６が発する不要輻射を防止または抑制することができる。
【００７４】
このような部材を備える光源装置３の組み付け構造は、次のとおりである。
【００７５】
シャーシ３１の前面側に反射シート３２が配設される。そしてその前面側に光源２および本発明の第二実施形態にかかる光学部材１ｂが配設される。ここで、図６に示すように、反射シート３２は、本発明の第二実施形態にかかる光学部材１ｂの入射部１３の側面にも接するように配設されるが、入射面１１は覆わない。したがって、光源２が発する光は、本発明の第二実施形態にかかる光学部材１ｂに入射面１１から入射する。
【００７６】
サイドホルダ３３は、光源２の端部を覆うように配設される。その前面側には光学シート類３４が配設され、さらにその前面側にフレーム３５が装着される。
【００７７】
また、シャーシ３１の背面側には光源駆動回路基板３６が配設され、各線状の光源２から引き出されるハーネス（図略）と光源駆動回路基板３６とが電気的に接続される。そして、光源駆動回路基板３６を覆うように、光源駆動回路基板カバー３７がシャーシ３１に装着される。
【００７８】
次に、前記光源装置３を備える表示装置４について説明する。図７は、前記光源装置３を備える表示装置（すなわち本発明の実施形態にかかる表示装置）４の要部の構成を模式的に示した分解斜視図である。本発明の実施形態にかかる表示装置４は、前記本発明の実施形態にかかる光源装置３と、表示パネル４１と、ベゼル４２と、コントロール回路基板４３と、コントロール回路基板カバー４４とを備える。
【００７９】
表示パネル４１には、公知の各種透過型または半透過型の液晶表示パネルが適用できる。たとえば一般的なアクティブマトリックスタイプの液晶表示パネルなどが適用できる。
【００８０】
ベゼル４２は、表示パネル４１を保護および／または保持するなどの機能を有する部材である。このベゼル４２は開口した略四辺形の形状を有する。たとえば、樹脂材料などにより一体に形成される構成、樹脂材料により形成される部品が組み合わせられる構成、金属の板材によりプレス加工などを用いて形成される一体に形成される構成、金属の板材によりプレス加工などを用いて形成される部品が組み合わせられる構成、などが適用できる。
【００８１】
図７に示すように、このベゼル４２の短辺は、中心近傍の厚さが厚く、両端（両長辺）に向かうにしたがって、徐々に厚さが薄くなるような形状に形成される。また、各長辺は、短辺の中心部に比較して、厚さが薄く形成される。
【００８２】
コントロール回路基板４３は、表示パネル４１を制御する信号を生成する回路が構築される回路基板である。この信号は、外部（たとえばチューナ）などから入力される信号などに基づいて生成される。コントロール回路基板カバー４４は、コントロール回路基板４３を覆う部材であり、たとえば金属などの導体により形成される。コントロール回路基板カバー４４は、コントロール回路基板４３を保護するとともに、コントロール回路基板４３が発する不要輻射を防止または抑制する機能を有する。
【００８３】
このような部材を備える表示装置４の組み付け構造は、次のとおりである。
【００８４】
本発明の実施形態にかかる光源装置３の前面側に表示パネル４１が配設される。表示パネル４１に装着されるＴＣＰなどの回路基板（図略）は、本発明の実施形態にかかる光源装置３のシャーシ３１の背面側に曲げられて配設される。したがって、表示パネル４１の各辺において、厚さを薄くすることができるとともに、枠の幅を狭くすることができる。
【００８５】
また、本発明の実施形態にかかる光源装置３の背面に、コントロール回路基板４３が配設され、このコントロール回路基板４３を覆うように、コントロール回路基板カバー４４が装着される。これらコントロール回路基板４３およびコントロール回路基板カバー４４は、本発明の実施形態にかかる光源装置３の厚さの厚い部分（すなわち短辺方向の略中心）に配設される。このような位置に配設されることにより、表示装置４の長辺近傍の厚さが厚くなることが防止される。
【００８６】
次に、本発明の実施形態にかかる表示装置４を備えるテレビ受信機５について説明する。図８は、本発明の実施形態にかかる表示装置４を備えるテレビ受信機５の要部の構成を、模式的に示した分解斜視図である。
【００８７】
図８に示すように、このテレビ受信機５は、本発明の実施形態にかかる表示装置４と、チューナ５１と、電源５２と、キャビネット５３１，５３２と、支持部材５４とを備える。チューナ５１、電源５２、支持部材５４は、従来一般に用いられるものが適用できるから、それぞれについて簡単に説明し、詳細な説明は省略する。
【００８８】
チューナ５１は、受信した放送電波や外部から入力された所定のチャンネルの画像信号を生成する。このチューナ５１には、従来一般の地上波チューナ（アナログ地上波のチューナ、デジタル地上波のチューナ）、ＢＳチューナ、ＣＳチューナなどが適用できる。電源５２は、本発明の実施形態にかかる表示装置４、チューナ５１などに対して電力を供給することができる。
【００８９】
本発明の実施形態にかかる表示装置４、チューナ５１、電源５２が、キャビネット５３１，５３２に収納され、支持部材５４により支持される。このキャビネットは、前面側キャビネット５３１と背面側キャビネット５３２とからなる。前面側キャビネット５３１は、開口した略四辺形を有する部材であり、額縁状の部材である。背面側キャビネット５３２は、略トレイ状の部材であり、短辺方向の中心近傍の底が深く、両端（両長辺）に向かうにしたがって底が浅くなるような形状を有する。
【００９０】
図９は、本発明の実施形態にかかる表示装置４を備えるテレビ受信機５の使用態様の一例を示した図である。図９に示すように、二台のテレビ受信機（または表示装置）６を並べて配設し、その間に本発明の実施形態にかかる表示装置４または本発明の実施形態にかかる表示装置４が組み込まれるテレビ受信機５が配設される。
【００９１】
このような使用態様であると、二台のテレビ受信機（または表示装置）６において一つの画像を表示する場合に、二台のテレビ受信機（または表示装置）６のベゼルを隠すことができる。すなわち、本発明の実施形態にかかる表示装置４により、二台のテレビ受信機（または表示装置）６が表示する画像を略シームレスに（すなわち看者に違和感を与えることなく）表示することができる。
【００９２】
特に、本発明の実施形態にかかる表示装置４（を備えるテレビ受信機５）は、対向する両辺の厚さが薄いから、二台のテレビ受信機（または表示装置）６の各画面と、本発明の実施形態にかかる表示装置４との画面（すなわち表示パネル４１）が近接する。したがって、複数のテレビ受信機（または表示装置）６を使用して一枚の画像を表示する場合に、画面の段差に起因する違和感をやわらげることができる。
【００９３】
以上、本発明の実施形態について詳細に説明したが、本発明は前記実施形態に何ら限定されるものではなく、本発明の趣旨を逸脱しない範囲で種々の改変が可能である。
【図面の簡単な説明】
【００９４】
【図１】本発明の第一実施形態にかかる光学部材の構成を模式的に示した外観斜視図であり、（ａ）は表示パネルの側から見た図、（ｂ）は、（ａ）の反対側から見た図である。
【図２】本発明の第一実施形態にかかる光学部材の断面形状と、その内部における光の進行状態を模式的に示した断面図である。
【図３】本発明の第二実施形態にかかる光学部材の構成を模式的に示した外観斜視図であり、（ａ）は表示パネルの側から見た図、（ｂ）は、（ａ）の反対側から見た図である。
【図４】本発明の第二実施形態にかかる光学部材の断面形状と、その内部における光の進行状態を模式的に示した断面図である。
【図５】（ａ）は本発明の第一実施形態にかかる光学部材の変形例、（ｂ）は本発明の第二実施形態にかかる光学部材の変形例を示した図である。
【図６】本発明の実施形態にかかる光学部材を備える光源装置の構成を模式的に示した分解斜視図である。
【図７】本発明の実施形態にかかる光源装置を備える表示装置の構成を模式的に示した分解斜視図である。
【図８】本発明の実施形態にかかる光源装置を備える表示装置が組み込まれたテレビ受信機の構成を、模式的に示した分解斜視図である。
【図９】本発明の実施形態にかかる光源装置を備える表示装置の使用態様の一つを示した外観図である。
【図１０】直下型の光源装置を備える表示装置の構成の従来例を模式的に示した分解斜視図である。
【符号の説明】
【００９５】
１ａ  本発明の第一実施形態にかかる光学部材
１ｂ  本発明の第二実施形態にかかる光学部材
１１  入射面
１２  出射面
１３  入射部
２  光源
３  本発明の実施形態にかかる光源装置
３１  シャーシ
３２  反射シート
３３  サイドホルダ
３４  光学シート類
３５  フレーム
３６  光源駆動回路基板
３７  光源駆動回路基板カバー
４  本発明の実施形態にかかる表示装置
４１  表示パネル
４２  ベゼル
４３  コントロール回路基板
４４  コントロール回路基板カバー
５  テレビ受信機
５１  チューナ
５２  電源
５３１  前面側キャビネット
５３２  背面側キャビネット
５４  支持部材
６  テレビ受信機（表示装置）
９  従来の表示装置
９１  光源
９２  光学部材
９３  表示パネル
９４  ベゼル
【図１】
2009128730.tif 000003
【図２】
2009128730.tif 000004
【図３】
2009128730.tif 000005
【図４】
2009128730.tif 000006
【図５】
2009128730.tif 000007
【図６】
2009128730.tif 000008
【図７】
2009128730.tif 000009
【図８】
2009128730.tif 000010
【図９】
2009128730.tif 000011
【図１０】
2009128730.tif 000012